(57)【特許請求の範囲】
【請求項１】
部屋の側壁に上下方向に渡る左右一対の溝が左右方向に所定間隔で形成され、これら溝に、高さ方向に所定間隔で形成されたねじ孔を有する支持具取付用レールが埋設され、これら支持具取付用レールにねじ孔を利用して左右一対の棚板支持具が相互に対向するようにして取り付けられ、これら棚板支持具に棚板が渡し止められており、該棚板の後部上面に当接するようにして、棚板押え部材が前記支持具取付用レールにねじ孔を利用して取り付けられている棚を有する壁面構造。
【請求項２】
前記棚板支持具の後部に前後方向に貫通する貫通孔を有する垂直な後壁が設けられ、棚板押え部材に前後方向に貫通する貫通孔を有する垂直壁が設けられ、これら後壁と垂直壁とが貫通孔が重なるようにして重ねられ、これら貫通孔を通じて、前方から支持具取付用レールのねじ孔にボルトがねじ嵌められている請求項１記載の棚を有する壁面構造。
【発明の詳細な説明】
【０００１】
【発明の属する技術分野】
本発明は棚を有する壁面構造に関する。
【０００２】
【発明の目的】
本発明は、目立たないようにした支持具取付用レールを利用して棚板を所望高さ位置に簡単に取り付けることが出来る構造を提供することを目的とするものである。
【０００３】
【前記目的を達成するための手段】
本発明は前記目的を達成するために以下の如き手段を採用した。
請求項１の発明は、部屋の側壁に上下方向に渡る左右一対の溝が左右方向に所定間隔で形成され、これら溝に、高さ方向に所定間隔で形成されたねじ孔を有する支持具取付用レールが埋設され、これら支持具取付用レールにねじ孔を利用して左右一対の棚板支持具が相互に対向するようにして取り付けられ、これら棚板支持具に棚板が渡し止められており、該棚板の後部上面に当接するようにして、棚板押え部材が前記支持具取付用レールにねじ孔を利用して取り付けられているものである。
請求項２の発明は、前記棚板支持具の後部に前後方向に貫通する貫通孔を有する垂直な後壁が設けられ、棚板押え部材に前後方向に貫通する貫通孔を有する垂直壁が設けられ、これら後壁と垂直壁とが貫通孔が重なるようにして重ねられ、これら貫通孔を通じて、前方から支持具取付用レールのねじ孔にボルトがねじ嵌められている請求項１記載のものである。
【０００４】
【発明の効果】
本発明は前記した如き構成によって以下の如き効果を奏する。
請求項１の発明によれば、支持具取付用レールを目立たないようにしつつ、支持具取付用レールを利用して棚板を所望高さ位置に簡単に取り付けることが出来る。
また、請求項１の発明によれば、棚押え部材により棚板を強固に固定することが出来る。
請求項２の発明によれば、棚板支持具と支持具取付用レールとをボルトにより一挙に支持具取付用レールに取り付けることが出来るので、作業性がよい。
【０００５】
【発明の実施の形態】
以下に、３つの発明の実施の形態を説明する。
なお、これらの説明において同一の部材は同一の符号で示す。
【０００６】
［第１の実施の形態］（図１〜図４参照）
なお、この説明において、前とは図１紙面表側を、後とは同裏側をいい、左とは図１左側を、右とは同図右側をいう。
【０００７】
部屋１の側壁２は、床面３から天井面４に渡る本体６と、本体６の前面に接着剤等により張り付けられた化粧板７とより構成されている。
化粧板７は、上下に長い板材で左右方向に間隙８をあけるようにして並べられている（図２参照）。化粧板７の左右の縁部後部には、上下方向に渡る凹段部９が形成されている。また、化粧板７の左右の縁部前部には、横向きに開放した上下方向に渡る嵌合凹所１０が形成されている。この嵌合凹所１０の作用は後述する。
【０００８】
前記相互に対向する凹段部９と間隙８とにより溝１２が構成されている。これら溝１２に、高さ方向に所定間隔で形成されたねじ孔１４、１５を有する支持具取付用レール１３が埋設されている。支持具取付用レール１３には左右一対の張出部１３ａが形成され、これら張出部１３ａが化粧板７の後部縁部７ａに当接するようになされている。図３に示すごとく、所要個のねじ孔１４（又はねじ孔１５）を通じて前方からねじ１７を本体６にねじ嵌めることにより、支持具取付用レール１３は本体６に固定されている。
【０００９】
前記ねじ孔１４とねじ孔１５とは組となされ、その１組のねじ孔が、上下方向に所定間隔で形成されている。
【００１０】
図１において、左から２番目と３番目との溝１２に埋設された支持具取付用レール１３に、後述するようにしてねじ孔１５を利用して左右一対の棚板支持具１９が相互に対向するようにして取り付けられている。これら棚板支持具１９は、上下に貫通する貫通孔２１を有する頂壁２０と、頂壁２０の左右縁部に垂下状に連設された左右壁２２と、頂壁２０の後縁部に垂下状に連設された、前後に貫通する貫通孔２４を有する後壁２３と、頂壁２０の前縁部に垂下状に連設された前壁２５とを有している。
【００１１】
所定のねじ孔１５に貫通孔２４が重なるようにして棚板支持具１９を化粧板７に当てた後、ボルト２７を貫通孔２４を通じてねじ孔１５にねじ嵌めることにより、棚板支持具１９は支持具取付用レール１３に取り付けられる。
【００１２】
図１において、左から２番目と３番目との溝１２に埋設された支持具取付用レール１３に、後述するようにしてねじ孔１４を利用して左右方向に長い棚板押え部材３０が取り付けられている。棚板押え部材３０は、支持具取付用レール１３に対向する位置に前後に貫通する貫通孔３２を有する垂直壁３１と、垂直壁３１の上縁部に前方突出状に連設された水平壁３３と、水平壁３３の下面に張り付けられた弾性を有するパッキン材３４とを有している。
【００１３】
棚板支持具１９のすぐ上のねじ孔１４に貫通孔３２が重なるようにして棚板押え部材３０を化粧板７に当てた後、ボルト２７を貫通孔３２を通じてねじ孔１４にねじ嵌めることにより、棚板押え部材３０は支持具取付用レール１３に取り付けられる。
【００１４】
前記左右の棚板支持具１９に棚板３６が載置され、この棚板３６に、貫通孔２１を通じてねじ１７をねじ嵌めることにより、棚板３６は棚板支持具１９に固定される。なお、棚板３６の前後長さは、棚板支持具１９の前後長さの３倍程度であり、棚板３６の厚みは、棚板支持具１９の頂壁２０の上面とパッキン材３４の下面との間隔にほぼ等しいか、その間隔より僅かに大きくなされている。いずれにしろ、棚板３６の後部上面は、パッキン材３４に当接するようになされている。
【００１５】
図１において、左から１番目と４番目との溝１２は、図４に示す上下方向に長い合成樹脂製等の弾性を有する閉塞材３８によって閉塞されている。この閉塞材３８は左右の嵌合突起３９を有しており、これら嵌合突起が嵌合凹所１０に嵌められている。
【００１６】
［第２の実施の形態］（図５〜図８参照）
なお、この説明において、前とは図５右側を、後とは同図左側をいい、左とは図５の紙面表側を、右とは同裏側をいう。
【００１７】
棚板支持具４２は、棚板支持具１９と相違して前壁２５を有していない。
棚板支持具４２には、合成樹脂製等のカバー４４が取り付けられている。このカバー４４は、底壁４５と、底壁４５の前縁部に連設された前壁４６と、左右壁２２間に嵌まり込む突部４７とを有している。前記突部４７を左右壁２２間に嵌め入れることによりカバー４４は棚板支持具４２に取り付けられる。
【００１８】
［第３の実施の形態］（図９及び図１０参照）
なお、この説明において、前とは図９右側を、後とは同図左側をいい、左とは図９の紙面表側を、右とは同裏側をいう。
【００１９】
棚板支持具５１は、棚板支持具１９と相違して後壁２３を有していない。しかし、棚板支持具５１は、頂壁２０の後縁部に垂直状に連設された、前後に貫通する貫通孔５３を有する後壁５２を有している。
棚板押え部材５５は、垂直壁３１の上縁部に後方突出状に連設された、後壁５２の厚みに相当する前後長さの突起５６を有している。
【００２０】
化粧板７に当てた後壁５２に棚板押え部材５５の垂直壁３１を、貫通孔３２が貫通孔５３に重なるようにして、当てがった後、ボルト２７を前方から貫通孔３２、５３を通じて支持具取付用レール１３のねじ孔１４にねじ嵌めることにより、棚板支持具５１、棚板押え部材５５が一挙に支持具取付用レール１３に取り付けられる。この説明から明らかなごとく、第３の実施の形態の支持具取付用レール１３はねじ孔１５を有していない。
【００２１】
【変形例等】
以下に変形例等について説明を加える。
（１）支持具取付用レールとしては、アルミニウムの押出型材が広く使用されるが、それに限定されない。
（２）棚板押え部材は、左右方向に長いもの（棚板３６の左右長さに相当する長さのもの）でなく、左右方向に短いものであってもよい。
（３）棚板支持具を２本以上のボルト２７により支持具取付用レール１３に固定するようにしてもよい。
【図面の簡単な説明】
【図１】本発明の第１の実施の形態を示す簡略正面図である。
【図２】図１のＩＩ−ＩＩ線拡大断面図である。
【図３】図２のＩＩＩ−ＩＩＩ線断面図である。
【図４】図１のＩＶ−ＩＶ線拡大断面図である。
【図５】本発明の第２の実施の形態を示す要部側面図である。
【図６】図５のＶＩ−ＶＩ線断面図である。
【図７】図５のＶＩＩ−ＶＩＩ線断面図である。
【図８】図５のＶＩＩＩ−ＶＩＩＩ線断面図である。
【図９】本発明の第３の実施の形態を示す要部断面図である。
【図１０】図９のＸ−Ｘ線断面図である。
【符号の説明】
１  部屋
２  側壁
６  本体
７  化粧板
１２  溝
１３  支持具取付用レール
１４  ねじ孔
１５  ねじ孔
１９  棚板支持具
２７  ボルト
【図１】
0003979523.tif 000002
【図２】
0003979523.tif 000003
【図３】
0003979523.tif 000004
【図４】
0003979523.tif 000005
【図５】
0003979523.tif 000006
【図６】
0003979523.tif 000007
【図７】
0003979523.tif 000008
【図８】
0003979523.tif 000009
【図９】
0003979523.tif 000010
【図１０】
0003979523.tif 000011